(57)【要約】【課題】浴室出入り口の密閉と浴室内の通気確保を選択することができ、ホテルやマンション等の一枚物のガラス扉を用いた浴室において、ミスト発生設備やサウナ設備を設置することができる扉取付け用建具を提供する。【解決手段】浴室Ａの出入り口開口部に固定する扉取付け枠５の縦かまち１に、一枚物のガラス扉６で仕切られる浴室Ａと洗面室Ｂを連通させる通気路１１を設け、この通気路１１をガラリ１２によって開閉できるようにする。【選択図】図５
2006226066.tif 000002
【特許請求の範囲】
【請求項１】
建物の開口部に固定する扉取付け枠の縦かまちに、扉で仕切られる両側の空間を連通させる通気路を設け、この通気路をガラリによって開閉できるようにした扉取付け用建具。
【請求項２】
上記扉取付け枠の扉と対向する四周囲に扉が当接するシール材を取り付け、扉取付け枠の開口部分を扉が密閉するようになっている請求項１に記載の扉取付け用建具。
【請求項３】
上記縦かまちが、扉取付け用の内側縦部材とその外側に間隔を置いて位置する外側縦部材とからなり、前記扉取付け用内側縦部材と外側縦部材の間隔によって通気路が形成され、この通気路の一方開口端の位置にガラリを配置し、このガラリが、通気路の開口端を閉鎖する固定板に可動板を重ね、可動板の移動により固定板と可動板に設けた通気孔の連通と遮断を行うことで通気路を開閉するようになっている請求項１又は２に記載の扉取付け用建具。
【請求項４】
上記扉取付け用内側縦部材と外側縦部材の間に設けられた通気路が、空気の流れ方向の途中で屈曲するように形成されている請求項１乃至３の何れかに記載の扉取付け用建具。
【発明の詳細な説明】
【技術分野】
【０００１】
この発明は、ホテルやマンション等の浴室において、強化ガラスを用いた一枚物の扉を取付けるために用いる扉取付け用建具、更に詳しくは、浴室においてミスト発生設備やサウナ設備を設置することができるようにする扉取付け用建具に関する。
【背景技術】
【０００２】
ホテルやマンション等の浴室において、脱衣室との出入り口に設ける扉に強化ガラスを用いた一枚物の扉を採用し、浴室のデザインや環境を見た目に豪華な感じにすると共に、広く見せるようにすることが行われている。
【０００３】
従来、強化ガラスを用いた一枚物のガラス扉を建物の開口部に取り付けるための扉取付け枠は、アルミやステンレスを用いた両側縦かまちと上かまち及び下かまちで矩形の枠状に組み立てられ、建物の出入り口用開口部に組み込んだ扉取付け用建具に対して扉を一方縦かまちにヒンジを用いて取付け、扉取付け用建具の内周に形成された出入り口を開閉可能にしている。
【０００４】
上記扉取付け枠と扉の関係は、扉取付け枠の扉と対向する出入り口部分の周囲に扉が閉めたときに当接するシール材を取り付け、扉を閉めた状態で浴槽側の湯気や湿気が脱衣室側に流出しないようにシールしている。
【０００５】
しかし、浴室で発生した湯気や湿気は浴室の天井や壁に設けた換気扇によって排出するため、上記出入り口を扉で密閉すると、脱衣室側から浴室内への空気の流れが遮断され、浴室に対する換気作用が低下するため、従来は扉の閉鎖状態において扉取付け枠の出入り口を完全に密閉せず、脱衣室側から浴室内への空気の流れを確保することができるようにしている。
【０００６】
従来の扉取付け枠と扉は、脱衣室側から浴室内への空気の流れを確保するため、扉の高さ寸法を出入り口の開口高さよりも短く設定し、扉をその下端部が下かまちのシール材に当接する配置で扉取付け枠に取付けることにより、扉の上端と上かまちの間に通気隙間を設け、浴室の換気扇を作動させると通気隙間を通って脱衣室側から浴室内への空気の流れが生じるようにしている。
【０００７】
ところで、近年健康維持や美容の関心が高まり、入浴時にミスト効果やサウナ効果で、美肌、老廃物の除去、疲労回復等が得られるミスト発生設備やサウナ設備の設置要望が増大している。
【発明の開示】
【発明が解決しようとする課題】
【０００８】
しかしながら、従来の浴室用の扉取付け用建具のように、浴室の出入り口において、扉の上端と上かまちの間に通気隙間を設けた構造になっていると、浴室内で発生させたミストや蒸気、温風等が通気隙間から脱衣室側に流出することになり、ホテルやマンション等の浴室において、ミスト発生設備やサウナ設備を設置するのが困難であり、また、これとは別に、出入り口を扉で密閉するような構造では、浴室の換気が悪くなるという問題がある（例えば、特許文献１参照）。
【特許文献１】特開２０００−４６３５５号公報
【０００９】
そこで、この発明の課題は、浴室出入り口の密閉と浴室内の通気確保を選択することができ、ホテルやマンション等の一枚物のガラス扉を用いた浴室において、ミスト発生設備やサウナ設備を設置することができる扉取付け用建具を提供することにある。
【課題を解決するための手段】
【００１０】
上記のような課題を解決するため、この発明は、建物の開口部に固定する扉取付け枠の縦かまちに、扉で仕切られる両側の空間を連通させる通気路を設け、この通気路をガラリによって開閉し、通気量の調整ができるようにした構成を採用したものである。
【００１１】
上記扉取付け枠の扉と対向する四周囲に扉が当接するシール材を取り付け、扉取付け枠の開口部分を扉が密閉するようにすることができる。
【００１２】
また、上記縦かまちが、扉取付け用の内側縦部材とその外側に間隔を置いて位置する外側縦部材とからなり、前記扉取付け用内側縦部材と外側縦部材の間隔によって通気路が形成され、この通気路の一方開口端の位置にガラリを配置し、このガラリが、通気路の開口端を閉鎖する固定板に可動板を重ね、可動板の移動により固定板と可動板に設けた通気孔の連通と遮断を行うことで通気路を開閉するようになっている構造とすることができる。
【００１３】
更に、上記扉取付け用内側縦部材と外側縦部材の間に設けられた通気路が、空気の流れ方向の途中で屈曲するように形成することができる。
【００１４】
ここで、上記通気路は、内側縦部材と外側縦部材間の上端部と下端部の間に間隔保持用の結合部材を介在させることによって形成し、ガラリはこの通気路の浴室側に位置する開口端側で上下結合部材間を開閉するように配置されている。
【発明の効果】
【００１５】
この発明によると、扉取付け枠の縦かまちに扉で仕切られる両側の空間を連通させる通気路を設け、この通気路をガラリによって開閉できるようにしたので、出入り口を扉で密閉するようにしても、扉で仕切られる両側の空間の連通と遮断が行え、従って、扉による浴室出入り口の密閉化と浴室の通気性確保が可能になり、浴室へのミスト発生設備やサウナ設備の設置を実現することができる。
【００１６】
また、扉取付け枠の出入り口開口部分を扉で密閉するようにすると、浴室へのミスト発生設備やサウナ設備を設置しても、浴室内で発生させたミストや蒸気、温風等が脱衣室側に流出することはなく、ガラリを開にすれば浴室に対する脱衣室側からの通気が可能になるので、浴室の換気が支障なく行え、ホテルやマンション等の一枚物ガラス扉を用いた浴室において、ミスト発生設備やサウナ設備を設置することができる。
【００１７】
更に、扉取付け用内側縦部材と外側縦部材の間隔によって通気路を形成し、この通気路の一方開口端の位置に配置したガラリで通気路の開閉を行うようにすると、通気路の開閉がガラリの可動板を移動させる簡単な操作で行えることになる。
【００１８】
また、通気路を空気の流れ方向の途中で屈曲するように形成すると、浴室側からの水が脱衣室側に直接飛散するのを屈曲分部によって防ぐことができる。
【発明を実施するための最良の形態】
【００１９】
以下、この発明の実施の形態を図示例に基づいて説明する。
【００２０】
図示のように、浴室用の扉取付け用建具は、両側縦かまち１、２と上かまち３及び下かまち４で矩形の扉取付け枠５に組み立てられ、浴室Ａの出入り口開口部に組み込んだ状態で強化ガラスを使用した一枚物の扉（ドア）６を一方縦かまち１にヒンジ７を用いて取付け、扉取付け枠５の内周に形成された出入り口をこの扉６で開閉可能にしている。
【００２１】
図示の場合、上記両側縦かまち１、２と上かまち３及び下かまち４は、ステンレス等の金属板の曲げ物によって所定の断面形状に形成したが、押し出し成形品を用いてもよく、この扉取付け枠５の出入り口を囲む四周囲の浴室Ａに臨む側には、一方縦かまち１にヒンジ７を用いて取付けた扉６が当接するパッキン、防水ゴム等のシール材８を取り付け、扉取付け枠５の内周出入り口を扉６が密閉するようになっている。
【００２２】
上記一方縦かまち１は、扉取付け用の内側縦部材９とその外側に間隔を置いて位置する外側縦部材１０とからなり、前記内側縦部材９と外側縦部材１０の間隔によって通気路１１が形成され、この通気路１１の浴室Ａ側開口端の位置にガラリ１２を配置し、このガラリ１２によって通気路１１を開閉するようになっている。
【００２３】
なお、上記一方縦かまち１は、浴室Ａの隅側になるよう扉取付け枠５を配置するのが、浴室Ａの換気の上から好ましい。
【００２４】
上記扉取付け用の内側縦部材９は、二枚の曲げ物を組み合わせ、出入り口内周部の浴室側端に外側への張り出し部９ａと、洗面室Ｂ側端に内側への張り出し部９ｂを設け、この内側への張り出し部９ｂの浴室Ａに向く面にシール材８の収納溝を形成し、外側への張り出し部９ａの外面側に通路形成材９ｃを重ねて取付けた断面形状になっている。
【００２５】
また、外側縦部材１０は、一枚の曲げ物を用い、内側縦部材９と対向する面が直角の段付きとなる断面形状に形成され、内側縦部材９とその外側に外側縦部材１０を所定の間隔を置いて配置することにより、内側縦部材９と外側縦部材１０の対向面間に途中が鉤型に屈曲する通気路１１を形成するようになっている。
【００２６】
上記通気路１１は、洗面室Ｂ側で開放する入側通路１１ａと、浴室Ａ側で開放する出側通路１１ｂと、入側通路１１ａと出側通路１１ｂを接続する中間通路１１ｃとからなり、内側縦部材９と外側縦部材１０の間隔を保って通気路１１を形成するため、入側通路１１ａと出側通路１１ｂの上端部において、間隔保持用の上部結合部材１３、１４を介在させ、また、入側通路１１ａと出側通路１１ｂの下端部において下部結合部材１５、１６を介在させてある。
【００２７】
上記した上部結合部材１３、１４及び下部結合部材１５、１６の配置により、入側通路１１ａと出側通路１１ｂの上下開口高さ寸法は実質的に上部結合部材１３、１４と下部結合部材１５、１６の対向間隔になり、入側通路１１ａの下部結合部材１５は上面を浴室Ａ側に傾斜させて水勾配を与えることで、上面の水滴を浴室Ａ側に流出させるようになっている。
【００２８】
なお、図４のように、浴室Ａの床面と洗面室Ｂの床面に少し高低差を設け、下かまち４をこの高低差に適応する断面形状とすることにより、縦かまち１内で生じた水滴を浴室Ａ側に流出させるようになっている。
【００２９】
上記縦かまち１に対するガラリ１２の組み込み構造は、内側縦部材９の浴室Ａに臨む面で通気路１１側に設けた鍔９ｄと通路形成材９ｃの対向面間に縦溝１７と、外側縦部材１０の浴室Ａに臨む面とこの面に間隔部材１９ａを挟んでビス１８で着脱可能に固定した前板１９間に縦溝２０を形成し、ガラリ１２は、重ねた固定板１２ａと可動板１２ｂの両側を縦溝１７と２０に嵌め込み、可動板１２ｂの上下移動により固定板１２ａと可動板１２ｂに設けた通気孔２１と２２の連通と遮断を行うことで通気路１１を開閉し、また、通気量を調整することができるようになっている。
【００３０】
なお、ガラリ１２は、可動板１２ｂを左右に移動させることにより、通気孔の連通と遮断を行うような構造を採用してもよい。
【００３１】
上記固定板１２ａは、縦かまち１と略等しい高さ寸法を有し、浴室Ａ側に位置して上下動しないよう縦溝１７と２０内の下端に組み込んだ弾性体２３で下端が支持され、下かまち４の上面との間に排水隙間２４を形成していると共に、可動板１２ｂは固定板１２ａよりも上下長さが短く、固定板１２ａに対して浴室Ａと反対側に上下動可能となるよう配置されている。
【００３２】
この固定板１２ａと可動板１２ｂには、上下に一定の間隔で等しい大きさとなる複数の通気孔２１と２２がそれぞれ設けられ、可動板１２ｂの上部に固定したビス２５が固定板１２ａに設けた上下の長孔２６を貫通し、このビス２５に取付けたつまみ２７で可動板１２ｂを上下に移動させれば、固定板１２ａと可動板１２ｂに設けた通気孔２１と２２の連通と遮断が行え、通気孔２１と２２を連通させることによって通気路１１を開放し、通気孔２１と２２の連通を遮断させることによって通気路１１を閉鎖することになり、可動板１２ｂは上下位置を選ぶことで両通気孔２１と２２の連通量を調整することができる。
【００３３】
上記のように、ガラリ１２の取付けにビス１８で着脱可能に固定した前板１９を採用すると、この前板１９を外すことによって縦かまち１からガラリ１２の取り外しが可能になり、ガラリ１２の掃除が行えることになる。
【００３４】
この発明の扉取付け用建具である扉取付け枠５は、上記のような構成であり、ホテルやマンション等の浴室Ａにおいて、洗面室Ｂとの出入り口に強化ガラスを用いた一枚物の扉６を設けるために使用する。
【００３５】
扉取付け枠５を浴室Ａの出入り口開口部に組み込んだ状態で、扉取付け枠５の一方縦かまち１に強化ガラスを使用した一枚物の扉６をヒンジ７で取付け、扉取付け枠５の内周に形成された出入り口をこの扉６で開閉可能にする。
【００３６】
扉取付け枠５の内側四周囲にはシール材８が設けてあり、閉鎖位置にある扉６はこのシール材８に当接するので、出入り口を密閉することができる。
【００３７】
また、扉取付け枠５の一方縦かまち１には、ガラリ１２を介して浴室Ａと洗面室Ｂを連通させる通気路１１が設けてあり、ガラリ１２は、閉状態にすることにより通気路１１を遮断して浴室Ａと洗面室Ｂの連通を断つことができ、開状態にすると通気路１１を開放して浴室Ａと洗面室Ｂを連通させることができる。
【００３８】
従って、ガラリ１２を閉状態にして扉６を閉じると、浴室Ａと洗面室Ｂを確実に遮断することができ、浴室Ａ側にミスト発生設備やサウナ設備を設けても、浴室Ａ内で発生したミストや蒸気、温風等が洗面室Ｂ側に流出することがなく、これによって、ホテルやマンション等の浴室Ａに、ミスト発生設備やサウナ設備の設置が可能になる。
【００３９】
また、ガラリ１２は閉状態にすることにより、通気孔２１、２２の連通が遮断され、浴室Ａ側の水が通気路１１から洗面室Ｂ側に飛散するのを防止することができる。
【００４０】
上記のように、浴室Ａ側にミスト発生設備やサウナ設備を設けた状態で、浴室Ａ内で発生したミストや蒸気、温風等の換気が必要になれば、浴室Ａに設置されている換気扇を作動させると共にガラリ１２を開状態にする。
【００４１】
浴室Ａは換気扇の作動で室内のミストや蒸気、温風を含む空気が吸引排気され、ガラリ１２を開状態にすると、通気路１１が開放して浴室Ａと洗面室Ｂを連通させるので、この通気路１１を介して洗面室Ｂ側の空気が浴室Ａ内に流入し、浴室Ａ内の換気と乾燥が行えることになる。
【００４２】
このように、扉取付け枠５の一方縦かまち１に、ガラリ１２を介して浴室Ａと洗面室Ｂを連通させる通気路１１を設けることにより、扉６で浴室Ａの出入り口を密閉しても浴室Ａの換気が可能になり、しかも、ガラリ１２を可動板１２ｂの移動によって通気路１１を閉じることで出入り口を完全に閉鎖でき、従って、ホテルやマンション等の一枚物のガラス扉６を用いた浴室Ａに、ミスト発生設備やサウナ設備の設置が可能になる。
【図面の簡単な説明】
【００４３】
【図１】扉取付け用建具である扉取付け枠に扉を取付けた浴室側から見た正面図
【図２】扉取付け枠の縦かまちに設けたガラリの部分を拡大した浴室側からの正面図
【図３】図２の矢印III−IIIに沿う縦断側面図
【図４】図２の矢印IV−IVに沿う縦断側面図
【図５】図２の矢印Ｖ−Ｖに沿う横断平面図
【図６】縦かまちとガラリの構造を示す斜視図
【図７】縦かまちとガラリの構造を示す分解斜視図
【符号の説明】
【００４４】
１      縦かまち
２      縦かまち
３      上かまち
４      下かまち
５      扉取付け枠
６      扉
７      ヒンジ
８      シール材
９      内側縦部材
１０    外側縦部材
１１    通気路
１２    ガラリ
１３    上部結合部材
１４    上部結合部材
１５    下部結合部材
１６    下部結合部材
１７    縦溝
１８    ビス
１９    前板
２０    縦溝
２１    通気孔
２２    通気孔
２３    弾性体
２４    排水隙間
２５    ビス
２６    長孔
２７    つまみ
【図１】
2006226066.tif 000003
【図２】
2006226066.tif 000004
【図３】
2006226066.tif 000005
【図４】
2006226066.tif 000006
【図５】
2006226066.tif 000007
【図６】
2006226066.tif 000008
【図７】
2006226066.tif 000009